(57)【要約】【課題】従来の製品よりも格段に優れた保温性を有し、軽量で、着心地のよいウエットスーツを提供すること。【解決手段】外側ゴム層２と中間ゴム層３と内側ゴム層４とを積層してなる生地１により作製されるウエットスーツであって、中間ゴム層３には、大きさが１〜１０ｍｍの円柱状または多角形状の収容空間５が配列形成され、当該収容空間５の各々には、発熱性または断熱性を有する物質６が充填されている。この収容空間５の各々に、分子移動に伴って発熱する発熱性物質、使用時の温度条件で結晶化する発熱性物質、あるいは断熱性物質としての熱伝導が低い物質が充填されていることが好ましい。【選択図】    図１
0003114295.tif 000002
【実用新案登録請求の範囲】
【請求項１】
外側ゴム層と中間ゴム層と内側ゴム層とを積層してなる生地により作製されるウエットスーツであって、
前記中間ゴム層には、直径が１〜１０ｍｍの円柱状または円盤状の空間が配列形成され、当該空間の各々には、発熱性物質または断熱性物質が充填されていることを特徴とするウエットスーツ。
【請求項２】
前記空間の各々に、分子移動に伴って発熱する発熱性物質が充填されていることを特徴とするウエットスーツ。
【請求項３】
前記空間の各々に、使用時の温度条件で結晶化する発熱性物質が充填されていることを特徴とするウエットスーツ。
【請求項４】
前記空間の各々に、断熱性物質として熱伝導の低い物質が充填されていることを特徴とするウエットスーツ。
【考案の詳細な説明】
【技術分野】
【０００１】
本考案は、軽量で保温性に優れたウエットスーツに関する。
【背景技術】
【０００２】
ダイビング、トライアスロン、サーフィンなどの用途に供されるウエットスーツには、保温性に優れていること、軽量であること、着心地がよいことなどが望まれている。
【０００３】
ウエットスーツの保温性を向上させるための技術として、下記特許文献１には、スーツ生地を構成する吸水可能な連続気泡型の発泡ゴムに、海水との接触に伴って発熱する物質（吸着剤）を混入することが記載されている。
また、下記特許文献２には、スーツ生地を構成する発泡ゴムを製造する際に、ウエットスーツの使用時（例えば潜水時）の温度条件で結晶化して発熱する物質（酢酸アルカリ塩）を混練することが記載されている。
さらに、この特許文献２には、当該物質（酢酸アルカリ塩）を充填したチューブを内蔵させることも記載されている。
【０００４】
しかし、特許文献１および２に記載の技術によっても、十分に満足できる保温性を発揮することはできない。
すなわち、発熱性物質の配合量に制限があるため、十分な量の発熱性物質を発泡ゴムに導入することができない。また、発熱性物質を発泡ゴムの全体に均一に分散させることは困難である。さらに、導入された発熱性物質がブルームないしブリードアウトすることにより脱落し、発熱効果が経時的に低下することもある。
また、発熱性物質が充填されたチューブを内蔵する場合には、スーツ生地が厚肉となり、十分な軽量化を図ることができない。さらに、当該チューブによってスーツ生地の伸縮状態に異方性が生じ（チューブの伸びる方向の伸縮が抑制される）、着心地が損なわれることがある。
【特許文献１】特開２００５−８２９１４号公報
【特許文献２】実用新案登録第３０４５７０７号公報
【考案の開示】
【考案が解決しようとする課題】
【０００５】
本考案は以上のような事情に鑑みてなされたものであり、その目的は、従来のものよりも格段に優れた保温性を有し、軽量で、着心地のよいウエットスーツを提供することにある。
【課題を解決するための手段】
【０００６】
本考案のウエットスーツは、外側ゴム層と中間ゴム層と内側ゴム層とを積層してなる生地により作製されるウエットスーツであって、前記中間ゴム層には、直径が１〜１０ｍｍの円柱状または円盤状の空間（以下「収容空間」という）が配列形成され、当該収容空間の各々には、発熱性物質または断熱性物質が充填されていることを特徴とする。
本考案のウエットスーツにおいては、収容空間の各々に、（１）着用者の動作などで分子移動に伴って発熱する発熱性物質、（２）使用時の温度条件で結晶化する発熱性物質、あるいは（３）断熱性物質としての空気などの熱伝導が低い物質が充填されていることが好ましい。
【考案の効果】
【０００７】
本考案のウエットスーツは、従来のものと比較して格段に優れた保温性を有し、軽量で、着心地も良好である。
すなわち、中間ゴム層に配列形成された各収容空間に、発熱性物質または断熱性物質を充填させることにより、これらの物質をスーツ生地内に多量に導入することができ、当該生地による発熱効果または断熱効果が格段に向上する。この結果、従来のウエットスーツと比較して格段に優れた保温性を発揮することができる。また、発熱性物質または断熱性物質が生地（中間ゴム層）の全域に導入されていることにより、優れた保温性はウエットスーツ全体において均一に発揮されるとともに、生地の薄肉化、ウエットスーツとしての軽量化を図ることができ、また、チューブなどを内蔵するもののようにスーツ生地の伸縮状態に異方性が生じることはなく、着心地も良好である。
【考案を実施するための最良の形態】
【０００８】
本考案のウエットスーツは、これを構成する生地に特徴を有するものであり、スーツとしての形状は特に限定されるものではない。
図１は、本考案のウエットスーツを構成する生地の一例を示す説明図であって、同図（１）は平面図、（２）は（１）のＡ−Ａ線の断面図である。この生地１は、外側ゴム層２と、中間ゴム層３と、内側ゴム層４とを積層してなる。
【０００９】
＜外側ゴム層＞
海水と接触する外側ゴム層２は、独立気泡型の発泡ゴムからなり、これによりスーツの液密性が確保される。外側ゴム層２を構成する原料ゴムとしては、ウレタンゴム、クロロプレンゴムなどを例示することができる。
外側ゴム層２は、単一の発泡ゴム層からなるものであっても、２層以上の発泡ゴム層の積層体であってもよい。さらに、発泡ゴム層と、発泡ゴム以外の層（例えば、非発泡ゴム層、チタン合金などからなる断熱層）との積層体であってもよい。
【００１０】
＜中間ゴム層＞
中間ゴム層３は発泡ゴムまたは非発泡ゴムからなる。中間ゴム層３を構成する原料ゴムとしては、外側ゴム層２を構成するものと同種のゴム（ウレタンゴム、クロロプレンゴムなど）を挙げることができる。中間ゴム層３は、単一のゴム層からなるものであっても、２層以上のゴム層の積層体であってもよい。
【００１１】
中間ゴム層３には、貫通孔からなる多数の収容空間５が規則的に配列形成されており、これらの収容空間５には、発熱性物質または断熱性物質（図中符号６で示す）が充填されている。
収容空間５は図面に示されるような円柱状または円盤状の空間であってもよいが、三角角、四角などの多角形状でもよく、数種類の形状の組合せでもよい。これにより、あらゆる伸長方向に対して等しい応力を有する（伸縮状態に異方性のない）生地を構成することができる。
【００１２】
収容空間５の直径Ｄとしては、通常１〜１０ｍｍとされ、好ましくは２〜６ｍｍ、更に好ましくは３〜５ｍｍ、特に好ましくは４ｍｍとされる。この直径が１ｍｍ未満である場合には、収容空間に充填できる発熱性物質または断熱性物質の量が過少となって、十分な保温効果を達成することができない。一方、この直径が１０ｍｍを超える場合には、生地としての強度を十分に確保することができない。
【００１３】
収容空間５の配列ピッチｐとしては、３〜５０ｍｍであることが好ましく、更に好ましくは５〜１３ｍｍとされる。収容空間の配列ピッチが過小である場合には、生地としての強度を十分に確保することができない。一方、配列ピッチが過大である場合には、発熱性物質または断熱性物質の量が過少となって、十分な保温効果を達成することができない。
【００１４】
収容空間５の高さｈ（この実施形態において中間ゴム層３の厚さと一致する）としては、０．５〜１０ｍｍであることが好ましく、更に好ましくは１〜５ｍｍとされる。収容空間の高さが過小である場合には、当該収容空間に充填できる発熱性物質または断熱性物質の量が過少となって、十分な保温効果を達成することができない。一方、収容空間の高さが過大である場合には、生地としての強度を十分に確保することができない。
【００１５】
収容空間５に充填される「発熱性物質」としては、使用時に生じる化学変化や状態変化によって発熱するものであれば特に限定されるものではなく、分子移動に伴って発熱（吸着熱を発生）する物質、使用時の温度条件で結晶化して発熱する物質などを挙げることができる。
このような発熱する物質としては、合成ゼオライト、活性アルミナ、カプサイシンなどを例示することができる。
また、使用時の温度条件で結晶化する発熱性物質としては、酢酸ナトリウムなどの酢酸アルカリ金属塩を例示することができる。
【００１６】
収容空間５に充填される熱伝導の低い物質である「断熱性物質」としては、中間ゴム層３を構成する物質（ゴム）よりも熱伝導率（κ）の低い物質であれば限定されるものでなく、その性状（固体・液体・気体）も特に限定されないが、軽量化および製造の容易化の観点から空気〔κ＝２．４１×１０-2Ｗ・ｍ-1・Ｋ-1（０℃）〕を使用することが好ましい。
【００１７】
＜内側ゴム層＞
着用者の身体と接触する内側ゴム層４は発泡ゴムまたは非発泡ゴムからなる。内側ゴム層４を構成する原料ゴムとしては、外側ゴム層２および／または中間ゴム層３を構成するものと同種のゴム（ウレタンゴム、クロロプレンゴムなど）を挙げることができる。内側ゴム層４は、単一のゴム層からなるものであっても、２層以上のゴム層の積層体であってもよい。
【００１８】
空気などの気体を断熱性物質として収容空間５に充填する場合には、内側ゴム層４は、気密性および液密性を有する材料から構成されることが必要となる。
【００１９】
内側ゴム層４の面（身体と接触する生地１の裏面）には、ナイロン、ポリウレタンなどの伸縮性繊維を使用する。また、潤滑性および／または撥水性を付与するためのコーティング処理が施されていてもよい。これにより、生地１の裏面における摩擦抵抗が低減する結果、滑り抵抗が低下してスムーズに着脱することができ、また、着心地も大幅に向上する。更に、撥水性（即乾性）が発現されることにより、再着用時の不快感などを生じさせることはない。
【００２０】
＜ウエットスーツ＞
図１に示したような３層構成の生地１を縫製することにより、図２に示すような形状のウエットスーツ８が作製される。なお、図２においては収容空間の図示を省略している。このウエットスーツ８は、これを構成する生地１の内部に多量の発熱性物質または断熱性物質を保持することができるので、当該生地１により発現される発熱効果または断熱効果は極めて高く、従来のウエットスーツ（発熱性物質または断熱性物質を配合混練によって導入してなる生地により作製されたもの）と比較して格段に優れた保温性を有する。
【００２１】
しかも、発熱性物質または断熱性物質が生地１（中間ゴム層３）の全域に導入されていることにより、当該物質による優れた保温性は、ウエットスーツ８の全体において均一に発揮されるとともに、生地の薄肉化、ウエットスーツとしての軽量化を図ることができる。また、チューブを内蔵する従来品のようにスーツ生地の伸縮状態に異方性が生じることはなく、着心地も良好である。
【００２２】
また、収容空間５の各々に、使用時の温度条件で結晶化する発熱性物質が充填されている場合には、予め加温されて液化した当該物質が、海水で冷却されて（再）結晶化する際の発熱により、着用者の身体が温められる結果、良好な保温性が発揮される。
【００２３】
また、収容空間５の各々に空気が充填されている場合には、断熱性の高い（熱伝導率の低い）空気による優れた保温性が発現されるとともに、スーツ全体として吸水に伴う重量変化が小さく、更に浮力の向上を図ることができる。
【００２４】
以上、本考案のウエットスーツの一形態について説明したが、本考案においては種々の変更が可能である。
例えば、中間ゴム層に収容空間が配列形成される範囲は、生地の全域でなくてもよく、その一部のみに形成されていてもよい。
また、発熱性物質または断熱性物質が充填される収容空間は、中間ゴム層に形成された貫通孔からなるものでなくてもよく、例えば、図３（１）に示すように、中間ゴム層３１の一面に開口する孔（凹部）によって収容空間５１が形成されていてもよい。また、図３（２）に示すように、中間ゴム層３２に内包された状態で収容空間５２が形成されていてもよい。
【００２５】
図４は、本考案のウエットスーツの他の例を構成する生地を模式的に示す断面図である。図４に示す生地は、外側ゴム層２の表面（最外層）に、伸縮性繊維からなる表面層７が形成されて構成されている。表面層７を構成する伸縮性繊維としては、織物および編組類を挙げることができ、編組類が好ましく、特にニット（ジャージ）が好ましい。この表面層７により、潜水中に岩や珊瑚に接触しても、生地１が切れたり破れたりすることを防止することができる。
【実施例】
【００２６】
図１に示したような層構成であって下記に示す仕様の生地１を製造し、これを縫製することにより、図２に示したような本考案のウエットスーツを作製した。得られたウエットスーツは、従来製品と比較して１０〜２５％程度の軽量化を図ることができ、保温性を２０〜３５％程度向上させることができた。
【００２７】
（生地１の仕様）
（１）外側ゴム層２：厚さ２ｍｍの独立気泡型クロロプレンポリウレタン発泡ゴムシート
（２）中間ゴム層３：厚さ３ｍｍのクロロプレンゴムシート
・収容空間５の直径（Ｄ）＝４ｍｍ
・収容空間５の配列ピッチ（ｐ）＝１０ｍｍ
（３）内側ゴム層４：厚さ３ｍｍの発泡ウレタンゴムシート
【産業上の利用可能性】
【００２８】
本考案のウエットスーツは、ダイビング、トライアスロン、サーフィンなど種々のマリンスポーツの用途に利用される。
【図面の簡単な説明】
【００２９】
【図１】本考案のウエットスーツを構成する生地の一例を示す説明図である。
【図２】本考案のウエットスーツの一例を示す説明図である。
【図３】本考案のウエットスーツの他の例を構成する生地を模式的に示す断面図である。
【図４】本考案のウエットスーツの他の例を構成する生地を模式的に示す断面図である。
【符号の説明】
【００３０】
１    生地
１１  生地
１２  生地
１３  生地
２    外側ゴム層
３    中間ゴム層
３１  中間ゴム層
３２  中間ゴム層
４    内側ゴム層
５    収容空間
６    収容空間への充填物質（発熱性物質または断熱性物質）
７    表面層
８  ウエットスーツ
【図１】
0003114295.tif 000003
【図２】
0003114295.tif 000004
【図３】
0003114295.tif 000005
【図４】
0003114295.tif 000006
【手続補正書】
【提出日】平成17年5月18日(2005.5.18)
【手続補正１】
【補正対象書類名】実用新案登録請求の範囲
【補正対象項目名】請求項１
【補正方法】変更
【補正の内容】
【請求項１】
外側ゴム層と中間ゴム層と内側ゴム層とを積層してなる生地により作製されるウエットスーツであって、
前記中間ゴム層には、大きさが１〜１０ｍｍの円柱状または多角形状の空間が配列形成され、当該空間の各々には、発熱性物質または断熱性物質が充填されていることを特徴とするウエットスーツ。
【手続補正書】
【提出日】平成17年6月24日(2005.6.24)
【手続補正１】
【補正対象書類名】実用新案登録請求の範囲
【補正対象項目名】全文
【補正方法】変更
【補正の内容】
【実用新案登録請求の範囲】
【請求項１】
外側ゴム層と中間ゴム層と内側ゴム層とを積層してなる生地により作製されるウエットスーツであって、
前記中間ゴム層には、直径が１〜１０ｍｍの円柱状または円盤状の空間が配列形成され、当該空間の各々には、発熱性物質または断熱性物質が充填されていることを特徴とするウエットスーツ。
【請求項２】
前記空間の各々に、分子移動に伴って発熱する発熱性物質が充填されていることを特徴とする請求項１に記載のウエットスーツ。
【請求項３】
前記空間の各々に、使用時の温度条件で結晶化する発熱性物質が充填されていることを特徴とする請求項１に記載のウエットスーツ。
【請求項４】
前記空間の各々に、断熱性物質として熱伝導の低い物質が充填されていることを特徴とする請求項１に記載のウエットスーツ。
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
外側ゴム層と中間ゴム層と内側ゴム層とを積層してなる生地により作製されるウエットスーツであって、
前記中間ゴム層には、大きさが１〜１０ｍｍの円柱状または多角形状の空間が配列形成され、当該空間の各々には、発熱性物質または断熱性物質が充填されていることを特徴とするウエットスーツ。
【請求項２】
前記空間の各々に、分子移動に伴って発熱する発熱性物質が充填されていることを特徴とする請求項１に記載のウエットスーツ。
【請求項３】
前記空間の各々に、使用時の温度条件で結晶化する発熱性物質が充填されていることを特徴とする請求項１に記載のウエットスーツ。
【請求項４】
前記空間の各々に、断熱性物質として熱伝導の低い物質が充填されていることを特徴とする請求項１に記載のウエットスーツ。